(57)【要約】【課題】側面強度と座屈強度の改善された合成樹脂製ブローボトルを提案する。【解決手段】内容物の注出開口を形成する口頚部１と、この口頚部１につながり容器の底部へ向けて拡径する肩部２と、この肩部２の下端につながりボトルの最大外径を保持してその内側に内容物の充填空間を形成する胴部３と、この胴部３の末端につながる底部４とを一体的に成形した合成樹脂製のブローボトルにおいて、前記胴部３の肩部境界域及び底部境界域の少なくとも一方に、胴部３の周壁に沿い間欠的に配列された複数の短尺傾斜リブ５、６を設ける。【選択図】図１
2010076821.tif 000002
【特許請求の範囲】
【請求項１】
内容物の注出開口を形成する口頚部と、この口頚部につながり容器の底部へ向けて拡径する肩部と、この肩部の下端につながりボトルの最大外径を保持してその内側に内容物の充填空間を形成する胴部と、この胴部の末端につながる底部とを一体的に成形した合成樹脂製のブローボトルであって、
前記胴部の肩部境界域及び底部境界域の少なくとも一方に、胴部の周壁に沿い間欠的に配列された複数の短尺傾斜リブを設けたことを特徴とする合成樹脂製ブローボトル。
【請求項２】
前記短尺傾斜リブは、直線的に伸延するか、または曲線を描いて伸延する細溝からなる、請求項１記載の合成樹脂製ブローボトル。
【発明の詳細な説明】
【技術分野】
【０００１】
本発明は、合成樹脂製ブローボトルに関するもので、ボトルの側面における強度（径方向における強度）を維持しつつ座屈強度（高さ方向における強度）をより一層高めようとするものである。
【背景技術】
【０００２】
ペットボトルなどの合成樹脂製の容器は、ブロー成形によって製造されており効率的な生産が可能であるとともにガラス製の壜と比べ取り扱いも比較的容易であることから、薬剤、化粧料、酒、飲料あるいは調味料等を入れる容器として多用されており、そのサイズ、形状も多岐にわたっている。
【０００３】
最近、この種の容器にあっては、ゴミの削減を図り自然環境を良好に維持する観点から、ボトル一本当たりの材料の使用量を減らすべくボトル壁厚を薄肉化（軽量化）する要求が高まっており、ボトルの側面強度、座屈強度をいかに向上させるかが技術的な課題になっていて、この点に関する先行技術としては容器の肩部と胴部との境界に、胴部の周りに沿って周回する環状の凸部を設け、この環状の凸部の両側に環状の溝部を形成したボトル型容器が提案されている（例えば、特許文献１参照）。
【特許文献１】特開２００３−１０４３４３号公報
【発明の開示】
【発明が解決しようとする課題】
【０００４】
本発明の課題は、容器の側面強度のみならず座屈強度を高めることができる新規なブローボトルを提案するところにある。
【課題を解決するための手段】
【０００５】
本発明は、内容物の注出開口を形成する口頚部と、この口頚部につながり容器の底部へ向けて拡径する肩部と、この肩部の下端につながりボトルの最大外径を保持してその内側に内容物の充填空間を形成する胴部と、この胴部の末端につながる底部とを一体的に成形した合成樹脂製のブローボトルであって、
前記胴部の肩部境界域及び底部境界域の少なくとも一方に、胴部の周壁に沿い間欠的に配列された複数の短尺傾斜リブを設けたことを特徴とする合成樹脂製ブローボトルである。
【０００６】
本発明にしたがう合成樹脂製ブローボトルの短尺傾斜リブは、直線的に伸延するか、または曲線を描いて伸延する細溝にて構成するのが望ましく、容器の外表面へ向けて突出する凸部であってもかまわない。      
【発明の効果】
【０００７】
短尺傾斜リブを、胴部の上部（肩部近傍域）及び下部（底部近傍域）の少なくとも一方において間欠的に配列することによりリブの合計周長を延長できること、及び当該リブ形成部分における胴部外形の径変化が生じないことから、側面荷重に対する抵抗と上下方向からの荷重に対する抵抗を同時に高めることができる。
【０００８】
短尺傾斜リブは、容器の充填空間内に向けて凸となる細溝（容器の内方へ向けて突出する凸部）にて構成するが、溝深さはさほど深くせずとも強度の向上に寄与することになるため、ブロー成形時（加熱処理の前後において二回のエアー吹込みを行うダブルブロー成形）に生じがちであった材料の噛み込み等の不具合を回避することが可能となり品質の安定化を図ることができる。
【発明を実施するための最良の形態】
【０００９】
以下、図面を用いて本発明をより具体的に説明する。
図１〜３は本発明にしたがう合成樹脂製ブローボトルの実施の形態を示した図であり、図４（ａ）（ｂ）及び図５（ａ）〜（ｃ）は図１のＡ−Ａ断面〜Ｅ−Ｅ断面を示した図である。
【００１０】
図における１は内容物の注出口を形成する口頚部、２は口頚部１につながり容器の底部へ向けて拡径する肩部、３は肩部２の下端につながるとともにボトルの最大外径を保持してその内側に内容物の充填空間を形成する胴部、４は胴部３の末端につながる底部である。底部４は下側に向けて縮径する周壁４ａと、この周壁４ａの下端につながる底板４ｂからなっており、口径部１、肩部２、胴部３及び底部４はブロー成形（シングルブロー成形、ダブルブロー成形等）により一体に成形されている。
【００１１】
また、５は胴部３の、肩部２の境界域に設けられた短尺傾斜リブ（上短尺傾斜リブ）、６は胴部３の、底部４の境界域に設けられた短尺傾斜リブ（下短尺傾斜リブ）である。これら短尺傾斜リブ５、６は場合によっては何れか一方に設けることができるものであって、胴部３の周壁に沿い間欠的に配列されている。上下に設ける場合においては傾きが相互に逆向きであってもかまわず、短尺傾斜リブ５、６が形成された胴体部分がボトルの最大外径を有する部分になっている。
【００１２】
さらに、７は胴部３の周りに沿って成形された減圧吸収壁、８は減圧吸収壁７の相互間に形成され、ボトルの座屈強度を確保する柱部である。
【００１３】
短尺傾斜リブ５、６の端部（５ａ、５ｂ、６ａ、６ｂ）は、図示の例ではボトルの軸心Ｌと径方向（水平方向）Ｋからずれた方向に指向し、一方の端部が隣接する短尺傾斜リブ５、６の他方の端部と軸心方向（垂直方向）において重なるように配置されており、このような配置によって径方向における強度を維持しながらも座屈強度が高められる。なお、短尺傾斜リブ５、６を中央域とこの中央域の両側に位置する端部域の３つに区分して中央域を図示の如く傾斜させ端部域をそれぞれ水平方向（径方向）あるいは垂直方向に延設してもよい（短尺傾斜リブ５、６の少なくとも一部分に傾斜している領域があればよい）。
【００１４】
図６は従来の一般的なブローボトルの外観を示したものであり、通常、この種のボトルにあっては径方向における強度を確保するため環状リブ（環状溝）９、１０を形成し、座屈強度については減圧吸収壁７の相互間に形成される柱部８によって確保していたが、ボトルの薄肉化の程度によっては、該環状リブ９が蛇腹のように作用（ボトルの座屈を引き起こす基点になりやすい）してボトルの座屈強度に影響を与えることも懸念されていたところ、本発明においては、従来のブローボトルに設けられていたような側面強度の改善に寄与する環状リブ９、１０は不要となる。
【００１５】
短尺傾斜リブ５、６は胴部３の周壁を内容物の充填空間に向けて凸とする細溝によって構成することが可能であり、さほどの深さを必要としない（従来の環状リブの深さの半分程度でも十分な効果が期待できる）。また、この短尺傾斜リブ５、６はボトルの外観形状に影響を与えない範囲で胴部３の周壁を外側に向けて隆起させることもできる。形状については直線的に伸延するものでもよいし、曲線を描いて伸延するもの、あるいはジグザグ状に伸延するものを適用することが可能であり、この点については限定されない。
【００１６】
本発明にしたがうブローボトルは、一回のエアーの吹込みより所望の製品形状に仕上げるシングルブロー成形法あるいは加熱処理工程を挟んでその前後においてブロー成形を二回行うことによって所望の製品形状に仕上げるダブルブロー成形法により製造すること可能あり、形成法についてもとくに限定はされない。
【００１７】
使用材料が２６グラム、内容物の充填容量が５００ミリリットルになる図１（短尺傾斜リブのサイズ：長さ３３ｍｍ、幅３．４ｍｍ、深さ２．０ｍｍ）、図６（環状リブ９のサイズ：幅４．５ｍｍ、深さ３．０ｍｍ）に示したポリエチレンテレフタレート（ＰＥＴ）樹脂製のブローボトル（ダブルブロー成形によるもの）を作成し、ボトルの側面強度（径方向における荷重付加）、座屈強度（高さ方向における荷重付加）について調査（調査部位は図１、図６の何れも胴部の、肩部境界域）したところ、本発明にしたがうブローボトル（図１）は従来タイプのブローボトル（図６）に比較して側面強度（径方向に２ｍｍ変位させた状態）が２．４倍向上し、座屈強度については１．４倍向上することが認められた。
【産業上の利用可能性】
【００１８】
側面強度及び座屈強度の高い合成樹脂製のブローボトルが供給できる。
【図面の簡単な説明】
【００１９】
【図１】本発明にしたがう合成樹脂製のブローボトルの実施の形態を示した側面図である。
【図２】図１の平面を示した図である。
【図３】図１の底面を示した図である。
【図４】（ａ）（ｂ）は図１に示したブローボトルのＡ−Ａ断面、Ｂ−Ｂ断面を示した図である。
【図５】（ａ）〜（ｃ）は図１に示したブローボトルのＣ−Ｃ断面〜Ｅ−Ｅ断面を示した図である。
【図６】従来のブローボトルの側面を示した図である。
【符号の説明】
【００２０】
１    口頸部
２    肩部
３    胴部
４    底部
４ａ  周壁
４ｂ  底板
５    短尺傾斜リブ
６    短尺傾斜リブ
７    減圧吸収壁
８    柱部
９    環状リブ
１０  環状リブ
【図１】
2010076821.tif 000003
【図２】
2010076821.tif 000004
【図３】
2010076821.tif 000005
【図４】
2010076821.tif 000006
【図５】
2010076821.tif 000007
【図６】
2010076821.tif 000008